(57)【要約】【課題】容易な取扱いが可能であって、事故を防止可能であり、使い捨て注射器の再使用が防止される注射器キャップを提供する。【解決手段】注射器の先端に固定本体を融着又は溶着で固定し、開閉本体を固定本体に対して螺合し、開閉本体及び固定本体を全体的に取り囲む再使用防止カバーをさらに備え、再使用防止カバーは、開閉本体の外側を取り囲むように嵌め合わされる上部本体と固定本体の外側を取り囲むように嵌め合わされる下部本体とを含み、上部本体と下部本体を連結切断部で一体に連結して使うとき、上部本体を下部本体に対して一方向に回転させて連結切断部を切断することで上部本体と開閉本体をそれぞれ下部本体と固定本体から分離し、連結切断部の切断によって再使用有無を確認して注射器の再使用を防止するようにし、固定本体と注射器の堅固な固定によって再使用防止カバーの上部本体が下部本体から容易に分離され、事故を防止することができる。【選択図】  図１
2018175842.tif 000002
【特許請求の範囲】
【請求項１】
注射器本体に備えられる吐出口が内側に挿入され、下端が融着部によって融着結合され、内面に螺旋形突部を有する固定本体と、
前記固定本体の内面に備えられた螺旋形突部と螺合される螺旋形溝部が下端の外面に備えられる開閉本体と、
前記開閉本体の内部に結合され、前記固定本体と結合される前記注射器本体の前記吐出口を密閉して遮断するゴムパッキングと、
前記固定本体及び前記開閉本体を取り囲むように前記固定本体及び前記開閉本体の外側に嵌め合わされる再使用防止カバーと、
を含み、
前記再使用防止カバーは、
前記開閉本体の外側を取り囲むように嵌め合わされる上部本体と、
前記上部本体の下側に位置し、前記固定本体の外側を取り囲むように嵌め合わされ、上端が前記上部本体の下端から離隔するように設けられる下部本体と、
前記上部本体の下端と前記下部本体の上端を連結して前記上部本体と前記下部本体とを一体に連結し、前記上部本体を前記下部本体に対して一方向に回転させて切断されることによって、一体に連結された前記上部本体の下端と前記下部本体の上端とが分離され、前記上部本体の外側を取り囲むように嵌め合わされた前記開閉本体が前記固定本体から分離されて、前記固定本体を開放する連結切断部とを含み、
前記再使用防止カバーの前記上部本体を下部本体側に押した状態で前記上部本体を前記下部本体に対して一方向に回転させるとき、前記上部本体が前記下部本体によって押し上げられることによって、前記上部本体と前記下部本体とを連結する前記連結切断部が容易に切断されるように、前記固定本体の前記螺旋形突部には傾斜した第１押圧傾斜面が設けられ、前記開閉本体の前記螺旋形溝部には前記第１押圧傾斜面に対応する第２押圧傾斜面が設けられる、注射器キャップ。
【請求項２】
前記上部本体の下端と前記下部本体の上端を連結する前記再使用防止カバーの前記連結切断部は、前記上部本体の下端から前記下部本体の上端側に行くほど次第に断面積が減少するテーパー形状を有しており、
前記連結切断部が設けられる前記上部本体の下端部には、前記連結切断部に連結され、かつ、前記上部本体を前記下部本体に対して一方向に回転させるとき、前記連結切断部がねじれ、前記連結切断部の下端が前記下部本体の上端から容易に切断されるように、凹部がさらに設けられる、請求項１に記載の注射器キャップ。
【請求項３】
前記再使用防止カバーの前記上部本体の外周面上部には、注射器トレー挿入孔に容易に挿着されるように、前記上部本体の外周面上部から下部に向かって傾斜した傾斜部がさらに設けられる、請求項１又は２に記載の注射器キャップ。
【請求項４】
前記固定本体の外側を取り囲むように嵌め合わされる前記再使用防止カバーの前記下部本体の内面には、
前記下部本体に対して前記上部本体を回転させるとき、前記固定本体の外周面に密着して前記下部本体の滑りを防止する複数のスリップ防止突起と、
前記複数のスリップ防止突起の間に備えられて前記固定本体と前記下部本体を堅固に接合するように、接着剤、高周波融着又は熱融着のいずれか一つで実現される接合部と、
がさらに設けられる、請求項１〜３のいずれか１項に記載の注射器キャップ。
【請求項５】
前記下部本体には、前記連結切断部によって連結された前記再使用防止カバーの前記上部本体及び前記下部本体を前記開閉本体及び前記固定本体に嵌め合わせるときに広がり、前記下部本体が前記固定本体に位置するように嵌め合わされると再び窄むことにより、前記開閉本体及び前記固定本体の外側に前記連結切断部によって連結された前記上部本体及び前記下部本体が容易に嵌め合わされるように放射状に形成された、複数の切開部がさらに設けられる、請求項１〜４のいずれか１項に記載の注射器キャップ。
【発明の詳細な説明】
【技術分野】
【０００１】
本発明は、注射器の上端吐出口に結合される注射器キャップに関する。
【背景技術】
【０００２】
一般に、注射器は医療用品の一つであり、注射薬液を注射したり、血液を採取したり、サンプルを採取したりするなどの多様な用途で使われている。
【０００３】
このような注射器は、注射器本体、注射器本体の内部に挿入されるピストン、及び上記ピストンを押圧作動させるピストンロッドから構成され、注射器の用途によって注射器本体の上端吐出口に注射針を結合したり、注射器キャップを結合したり、或いは採血道具を結合したりして使用される。
【０００４】
このような注射器は、一度使用した後は必ず廃棄して、注射器が再使用されることを防止しなければならない。これは、一度使った注射器は、注射針に患者の血液が残存し、血液が残った注射器を再び使えば、注射針に残存した血液に含まれた病源菌等が他人にそのまま伝達される可能性があり、伝達された病源菌によって２次的な感染事故が発生する可能性があるからである。
【０００５】
したがって、一度使った注射器は、再使用できないように廃棄処理されている。しかしながら、注射器購入費用を減らすために、使用した注射器を廃棄せずに再使用する場合が頻繁に発生しており、注射器の再使用に起因した疾病の伝播による感染はもちろんのこと、感染による社会的な問題点を引き起こしている実情がある。
【０００６】
近年、一度使用した注射器を再使用できないようにする使い捨て注射器が用いられている。このような使い捨て注射器は、注射器自体の構造を改善して注射器の使用有無を確認することができるようにして、一度使用した後に再使用できないようにしている。
【０００７】
しかし、従来の使い捨て注射器の場合、一般注射器に適用できない構造になっているため、使い捨て注射器を別に製作して使わなければならないという問題点がある。
【０００８】
従来、注射器の再使用によって引き起こされる問題点を解決するための技術を調べると、例えば、以下の特許文献１〜３のような発明が開示されている。一例として、以下の特許文献１に開示されている再使用防止用注射器キャップが案出されたことがある。これは、注射器本体の先端に内容物吐出のための吐出口の外側に、内周面に螺合部を有するロックを一体に形成して、キャップを気密に仕上げ、上記キャップは、円筒状のキャップ本体の内部に吐出口を気密に遮断するゴムパッキングと、後方に上記ゴムパッキングを固定する仕上げキャップとを結合し、上記キャップ本体の前方内周面に複数の位置に係止突起を突設して、ロックの上端外周面の係止溝に係止されて支持されるように弾性的に挿設し、上記円筒状のキャップ本体は、上部本体と下部本体が円周上に等間隔位置の切断部で一体に連結されるように構成されているので、キャップの開放使用のために上記切断部が切断される。
【０００９】
このような従来技術は、使用時、下部本体から上部本体を上下にねじって切断部を切断分離して開放してから使うので、一度使った後、切断部の切断の確認によって使用有無を確認して再使用を防止するようにしている。
【先行技術文献】
【特許文献】
【００１０】
【特許文献１】韓国公開特許第１０−２０１３−００１７７６６号公報
【特許文献２】韓国公開特許第１０−２０１０−０１３８９０５号公報
【特許文献３】韓国登録特許第１０−１０２７８６１号公報
【発明の概要】
【発明が解決しようとする課題】
【００１１】
しかし、従来技術の場合、下部本体と上部本体が切断部で一体に連結され、内部にゴムパッキングが結合され、注射器の先端にロックが一体に形成される構造に限って適用されるため、使用上の制約を有するという問題点がある。さらに、上部本体と下部本体の切断は、上部本体を上下にねじって行われるため、切断動作が容易でないことはもちろんのこと、初めて使用する使用者の場合、切断方法が容易に分からないため、使用上の不便さがある。
【００１２】
それだけでなく、上記上部本体を上下にねじって切断部を切断すると、下部本体の上端に鋭いバリ（ｂｕｒ）のような残留物が形成されるため、注射器を使う時に手にけがをするなどの安全上の事故が発生するという問題を生じるおそれがある。
【００１３】
そこで、本発明は、容易な取扱いが可能であって、事故を防止可能であり、使い捨て注射器の再使用が防止される注射器キャップを提供することを目的とする。
【課題を解決するための手段】
【００１４】
上記目的を達成するための手段として、本発明による注射器キャップは、注射器本体に備えられる吐出口が内側に挿入され、下端が融着部によって融着結合され、内面に螺旋形突部を有する固定本体と、前記固定本体の内面に備えられた螺旋形突部と螺合される螺旋形溝部が下端の外面に備えられる開閉本体と、前記開閉本体の内部に結合され、前記固定本体と結合される注射器本体の吐出口を密閉して遮断するゴムパッキングと、前記固定本体及び開閉本体を取り囲むように前記固定本体及び開閉本体の外側に嵌め合わされる再使用防止カバーと、を含み、前記再使用防止カバーは、前記開閉本体の外側を取り囲むように嵌め合わされる上部本体と、前記上部本体の下側に位置し、前記固定本体の外側を取り囲むように嵌め合わされ、上端が前記上部本体の下端から離隔するように設けられる下部本体と、前記上部本体の下端と前記下部本体の上端を連結して上部本体と下部本体とを一体に連結し、前記上部本体を前記下部本体に対して一方向に回転させて切断されることによって、一体に連結された上部本体の下端と下部本体の上端とが分離され、前記上部本体に取り囲まれるように嵌め合わされた前記開閉本体が、前記固定本体から分離されて、前記固定本体を開放するようにする連結切断部とを含み、前記再使用防止カバーの上部本体を下部本体側に押した状態で前記上部本体を下部本体に対して一方向に回転させるとき、前記上部本体が下部本体によって押し上げられることによって上部本体と下部本体とを連結する前記連結切断部が容易に切断されるように、前記固定本体の螺旋形突部には傾斜した第１押圧傾斜面が設けられ、前記開閉本体の螺旋形溝部には前記第１押圧傾斜面に対応する第２押圧傾斜面が設けられる。
【００１５】
また、前記上部本体の下端と前記下部本体の上端を連結する前記再使用防止カバーの連結切断部は、前記上部本体の下端から前記下部本体の上端側に行くほど次第に断面積が減少するテーパー形状を有しており、前記連結切断部が設けられる前記上部本体の下端には、前記連結切断部に連結され、かつ、前記上部本体を下部本体に対して一方向に回転させるとき、前記連結切断部がねじれ、連結切断部の下端が前記下部本体の上端から容易に切断されるように凹部がさらに設けられてもよい。
【００１６】
また、前記再使用防止カバーの上部本体の外周面上部には、注射器トレー挿入孔に容易に挿着されるように、前記上部本体の外周面上部から下部に向かって傾斜した傾斜部がさらに設けられてもよい。
【００１７】
また、前記固定本体の外側を取り囲むように嵌め合わされる前記再使用防止カバーの下部本体の内面には、前記下部本体に対して前記上部本体を回転させるとき、前記固定本体の外周面に密着して前記下部本体の滑りを防止する複数のスリップ防止突起と、前記複数のスリップ防止突起の間に備えられて前記固定本体と下部本体を堅固に接合するように、接着剤、高周波融着又は熱融着のいずれか一つで実現される接合部とがさらに設けられてもよい。
【００１８】
また、前記下部本体には、前記連結切断部によって連結された再使用防止カバーの上部本体及び下部本体を前記開閉本体及び固定本体に嵌め合わせるときに広がり、下部本体が固定本体に位置するように嵌め合わされると再び窄むことにより、前記開閉本体及び固定本体の外側に前記連結切断部によって連結された上部本体及び下部本体が容易に嵌め合わされるように放射状に形成された、複数の切開部がさらに設けられてもよい。
【発明の効果】
【００１９】
本発明は、再使用防止カバーの上部本体及び下部本体は、連結切断部によって一体に構成された状態で、固定本体及び開閉本体の全体を取り囲むように嵌め合わされ、上部本体は開閉本体の外側と密着し、下部本体は固定本体の外側と密着するように構成される。このような構成により、再使用防止カバーの上部本体を下部本体に対して一方向に回転させるときに発生する回転による外力と、開閉本体が固定本体から押し上げられる動作とによって、連結切断部が切断されて開閉本体が固定本体から分離される。その結果、連結切断部の切断有無によって注射器の使用有無を確認することができ、注射器の再使用を防止することができる。
【００２０】
また、再使用防止カバーの上部本体を下部本体に対して一方向に回転させるとき、下部本体が外側を密着して取り囲むように嵌め合わされた固定本体が、注射器の先端に融着又は溶着により堅固に固定されているので、下部本体の回転を防止することができ、上部本体を容易に回転させて開閉本体を固定本体から分離することができる。
【００２１】
また、再使用防止カバーの開閉本体と固定本体の分離時、傾斜した押圧傾斜面により開閉本体が固定本体から押し上げられ、連結切断部が容易に切断される。その上、連結切断部が下部本体側に行くほど断面積が減少するテーパー型に構成されることによって連結切断部が円滑に切断され、バリの発生を防止することができる。
【００２２】
また、再使用防止カバーの下部本体と注射器の先端に固定結合される固定本体とがスリップ防止突起によって堅固に密着するので、下部本体を摘んで上部本体を回転させるとき、下部本体と固定本体間の滑りを事前に防止することができる。
【００２３】
また、上部本体と下部本体を有する再使用防止カバーを開閉本体及び固定本体に容易に嵌め合わせることができるので、組立性及び作業性が大きく向上する。
【図面の簡単な説明】
【００２４】
【図１】本発明の実施形態による注射器キャップを示した斜視図である。
【図２】同実施形態による注射器キャップの構成を示した分解斜視図である。
【図３】同実施形態による注射器キャップの構成を示した一部切開分解斜視図である。
【図４】同実施形態による注射器キャップの構成を示した一部切開斜視図である。
【図５】同実施形態による注射器キャップの再使用防止カバー５０が分離された状態の一部切開分解斜視図である。
【図６】同実施形態による注射器キャップが注射器の上端に備えられた状態の構成図である。
【図７】同実施形態による注射器キャップの上部本体５１と開閉本体３０が分離される状態の構成図である。
【図８】同実施形態による注射器キャップの上部本体５１と開閉本体３０が分離された状態の分解構成図である。
【図９】同実施形態による注射器キャップの他の実施例を示した構成図である。
【図１０】同実施形態による注射器キャップのさらに他の実施例を示した平面構成図である。
【図１１】同実施形態による注射器キャップの連結切断部５３が分離される状態を示した概念図である。
【発明を実施するための形態】
【００２５】
以下、上記目的の外に本発明の他の目的及び特徴は添付図面を参照する実施例についての説明から明らかになるであろう。
【００２６】
特に他に定義しない限り、技術的又は科学的な用語を含め、ここで使う全ての用語は本発明が属する技術分野で通常の知識を有する者によって一般的に理解されるものと同じ意味を持っている。一般的に使われる辞書に定義されているような用語は関連技術の文脈で有する意味と一致する意味を有するものに解釈されなければならなく、本出願で明白に定義しない限り、理想的に又は過度に形式的な意味に解釈されない。
【００２７】
以下では、本発明の実施形態による注射器キャップについて、添付図面に基づいてより具体的に説明する。
【００２８】
本実施形態に係る注射器キャップは、注射器の上端吐出口に結合されるものであり、図１に示すように、注射器キャップの固定本体及び開閉本体を取り囲むように嵌め合わされる再使用防止カバーを備え、再使用防止カバーは連結切断部によって一体に連結される上部本体と下部本体から構成され、上部本体を下部本体に対して一方向に回転させる動作と、開閉本体が固定本体から押し上げられる動作とによって連結切断部が切断されることにより、上部本体及び上部本体によって外側が囲まれた開閉本体が、それぞれ下部本体と固定本体から分離されるようにして注射器キャップの再使用を防止するようにした再使用防止構造を有するものである。本実施形態実施形態による注射器キャップは、図６に示すように、注射器本体１０に備えられる吐出口１１が内側に挿入され、下端が融着部２１によって注射器本体１０と融着結合される。本実施形態に係る注射器キャップは、図２に示すように、内面に螺旋形突部２２を有する固定本体２０と、上記固定本体２０の内面に備えられた螺旋形突部２２と螺合する螺旋形溝部３１が下端の外面に備えられる開閉本体３０と、上記開閉本体３０の内部に結合されて上記固定本体２０と結合される注射器本体１０の吐出口１１を密閉状態で遮断するゴムパッキング４０と、上記固定本体２０と開閉本体３０を取り囲むように嵌め合わされる再使用防止カバー５０とを含む。
【００２９】
図２に示すように、上記固定本体２０と上記開閉本体３０は、固定本体２０に備えられる螺旋形突部２２と、開閉本体３０に備えられる螺旋形溝部３１とによって互いに螺合される。これにより、固定本体２０から開閉本体３０が分離する際に、ネジ方式で固定本体２０と開閉本体３０が回転することによって互いに分離される。
【００３０】
上記ゴムパッキング４０は、例えば、ゴム素材又はシリコン素材で形成される。図４に示すように、ゴムパッキング４０の外面にはパッキング固定溝４１が備えられる。一方、上記ゴムパッキング４０が開閉本体３０から外れることを防止するために、上記開閉本体３０には、上記パッキング固定溝４１に挿入されるパッキング固定突部３０ａが備えられる。
【００３１】
また、上記ゴムパッキング４０の下部内側には、上記注射器本体１０の吐出口１１の内部に挿入され、使用前に吐出口１１から注射液が吐出することを防止する吐出防止突起４２が備えられる。
【００３２】
このようなゴムパッキング４０は、上記注射器本体１０の吐出口１１が内側に挿入されることによって吐出口１１を遮断して、使用前の注射器本体１０に入っている注射液が漏出することを防止する。また、ゴムパッキング４０が開閉本体３０の内部に固定結合されるため、開閉本体３０が固定本体２０から分離するとき、上記ゴムパッキング４０も分離して、遮断されていた注射器本体１０の吐出口１１が開放される。
【００３３】
本実施形態は、固定本体２０及び開閉本体３０の外側を取り囲むように嵌め合わされる再使用防止カバー５０によって、一度使った後の注射器であるか否かを容易に確認することができ、注射器の再使用を防止することができる。
【００３４】
図４に示すように、本実施形態の上記再使用防止カバー５０は、上記開閉本体３０の外側を取り囲むように嵌め合わされる上部本体５１と、上記固定本体２０の外側を取り囲むように嵌め合わされ、上記上部本体５１の下側に位置し、上端が上記上部本体５１の下端から離隔して配置される下部本体５２とを含む。
【００３５】
また、上記上部本体５１と下部本体５２との間には、上記上部本体５１の下端と上記下部本体５２の上端を連結して、上部本体５１と下部本体５２を一体に連結する連結切断部５３が備えられる。この連結切断部５３は、上記上部本体５１を上記下部本体５２に対して一方向に回転させることによって切断される。図５に示すように、連結切断部５３が切断されることで、一体に連結された上部本体５１の下端と下部本体５２の上端が分離され、上記上部本体５１に挿入された上記開閉本体３０が、上記固定本体２０から分離されて、固定本体２０が開放される。
【００３６】
したがって、使用者が、上記再使用防止カバー５０の上部本体５１及び下部本体５２をそれぞれ手で摘んだ状態で、上部本体５１を下部本体５２に対して回転させれば、図７に示すように、上記連結切断部５３が切断されて上部本体５１が下部本体５２から分離される。この時、図８に示すように、上部本体５１に挿入されて取り囲まれている上記開閉本体３０が固定本体２０から分離されて、注射器本体１０の吐出口１１が開放される。
【００３７】
上記連結切断部５３は、上記上部本体５１を下部本体５２に対して回転させるとき、ねじる外力によって容易に切断されるように、上記上部本体５１の下端から上記下部本体５２の上端側に行くほど断面積が減少する断面テーパー形状に構成されてもよい。
【００３８】
そのため、上記上部本体５１が下部本体５２に対して一方向に回転するときに発生する外力によって、上記連結切断部５３がねじれて切断され、上部本体５１と下部本体５２が容易に分離されるのはもちろんのこと、下部本体５２の上端に鋭い部分、つまりバリ（ｂｕｒ）が発生することが防止される。
【００３９】
上記固定本体２０の下端は、溶着又は融着により上記注射器本体１０の先端に形成される融着部２１によって、注射器本体１０と結合されている。そのため、上記再使用防止カバー５０の上部本体５１を摘んで下部本体５２に対して回転させるとき、上記固定本体２０が注射器本体１０の先端に堅固に結合固定されているので、上記開閉本体３０が上記固定本体２０から容易に分離される。
【００４０】
本実施形態に係る注射器キャップでは、上記再使用防止カバー５０の上部本体５１を下部本体５２側に押し付けた状態で、上記上部本体５１を下部本体５２に対して一方向に回転させるとき、上記上部本体５１が下部本体５２によって押し上げられ、上部本体５１と下部本体５２を連結する上記連結切断部５３が容易に切断されるようにするため、図４に示すように、上記固定本体２０の螺旋形突部２２には、傾斜した第１押圧傾斜面２３が設けられ、上記開閉本体３０の螺旋形溝部３１には、上記第１押圧傾斜面２３に対応する第２押圧傾斜面３２が設けられる。
【００４１】
したがって、上記再使用防止カバー５０の上部本体５１を下部本体５２に対して回転させるとき、上記上部本体５１で取り囲まれるように挿入された開閉本体３０の螺旋形溝部３１が、固定本体２０の螺旋形突部２２に沿ってネジ方式で回転する。この時、螺旋形溝部３１に備えられる第２押圧傾斜面３２が、螺旋形突部２２に備えられる第１押圧傾斜面２３によって押し上げられる。そのため、第１押圧傾斜面２３が第２押圧傾斜面３２を押す力が作用して、上記開閉本体３０が固定本体２０から容易にネジ方式で回転でき、所定の力で容易に再使用防止カバー５０の上部本体５１を回転させて、開閉本体３０を固定本体２０から分離することができる。
【００４２】
このように、本実施形態は、上部本体５１を下部本体５２に対して一方向に回転させるときに発生する回転による外力と、開閉本体３０が固定本体２０から押し上げられる動作とによって連結切断部５３が容易に切断される。
【００４３】
また、図１に示すように、本実施形態実施形態の上記再使用防止カバー５０の上部本体５１の外面と下部本体５２の外面には、上記上部本体５１と下部本体５２を指で摘んだ状態で、上記上部本体５１を下部本体５２に対して一方向に回転させるときに滑りを防止する四角錐形スリップ防止突起５９を突設することができる。このように四角錐形スリップ防止突起５９が突出することにより、上記上部本体５１を下部本体５２に対して一方向に回転させるとき、滑りを防止して連結切断部５３の切断が容易になる。
【００４４】
すなわち、使用者が上記再使用防止カバー５０の上部本体５１と下部本体５２を手でそれぞれ摘んで、上部本体５１を下部本体５２に対して一方向に回転させるとき、上記上部本体５１と下部本体５２をそれぞれ摘んでいる使用者の両手が、上記四角錐形スリップ防止突起５９によって滑らずに上記上部本体５１と下部本体５２を堅固に摘むことができる。そのため、所定の力で上記連結切断部５３が切断されて、再使用防止カバー５０の上部本体５１が下部本体５２から分離されるとともに、上部本体５１に取り囲まれるように挿入された開閉本体３０を、上記下部本体５２に取り囲まれるように挿入された固定本体２０から容易に分離することができる。
【００４５】
このように、再使用防止カバー５０の上部本体５１と下部本体５２とを一体に連結している連結切断部５３が切断されることによって、固定本体２０から開閉本体３０が分離される。そのため、再使用防止カバー５０が一度使用された後は、連結切断部５３は切断される。これにより、連結切断部５３の切断の有無から注射器の使用有無を肉眼で確認することができるので、注射器の再使用を防止することができる。
【００４６】
また、図１に示すように、本実施形態の上記連結切断部５３が備えられる上記上部本体５１の下端には、上記連結切断部５３に連結され、上記上部本体５１を下部本体５２に対して一方向に回転させるときに上記連結切断部５３がねじれて連結切断部５３の下端が上記下部本体５２の上端から容易に切断されるように、上記上部本体５１の下端に凹部５４がさらに備えられてもよい。具体的には、凹部５４は、上部本体５１の外周部の下端であり、連結切断部５３に連結される位置に、上部本体５１の上端に向かって凹設される。
【００４７】
このように、凹部５４が上記連結切断部５３に連結されるように設けられているため、図１１に示すように、上記再使用防止カバー５０の上部本体５１を下部本体５２に対して一方向に回転させるとき、上記凹部５４のねじれによって上記連結切断部５３が容易にねじれ、連結切断部５３の下端が上記下部本体５２の上端から容易に切断され、再使用防止カバー５０の上部本体５１が下部本体５２から分離されるとともに、上部本体５１に取り囲まれるように挿入された開閉本体３０を、下部本体５２に取り囲まれるように挿入された固定本体２０から容易に分離することができる。
【００４８】
また、上記再使用防止カバー５０の上部本体５１には、図１に示すように、上記上部本体５１の回転方向を表示する表示部５１ａが備えられる。この際、上記表示部５１ａは、上記凹部５４から上記連結切断部５３への方向を示す矢印とすることができる。
【００４９】
したがって、上記上部本体５１を下部本体５２に対して回転させるとき、使用者が矢印の表示部５１ａの方向に上部本体５１を回転させることによって、上記凹部５４が歪んで上記連結切断部５３が容易に切断される。
【００５０】
また、図１に示すように、本実施形態の上記再使用防止カバー５０の上部本体５１の外周面上部には、注射器トレー挿入孔（図示せず）に容易に挿着されるように、上記上部本体５１の外周面上部から下部に向かって傾斜した傾斜部５５がさらに設けられてもよい。
【００５１】
すなわち、注射器トレー挿入孔に上記上部本体５１が挿入されるとき、上部本体５１の外周面に備えられた傾斜部５５によって容易に上部本体５１が注射器トレー挿入孔に挿入されるので、注射器トレーへの装着が容易になる。
【００５２】
さらに、図３、図９及び図１０に示すように、本実施形態の上記固定本体２０を取り囲むように嵌め合わされる上記再使用防止カバー５０の下部本体５２の内面には、上記下部本体５２に対して上記上部本体５１を回転させるときに、上記固定本体２０の外周面に密着して上記下部本体５２の滑りを防止する複数のスリップ防止突起５６と、上記複数のスリップ防止突起５６の間に備えられ、上記固定本体２０と下部本体５２とを堅固に接合するように、接着剤、高周波融着又は熱融着のいずれか一つで実現される接合部５７がさらに設けられてもよい。
【００５３】
この時、上記複数のスリップ防止突起５６及び接合部５７は、下部本体５２と開閉本体３０の間に設けられるのは言うまでもない。
【００５４】
このように複数のスリップ防止突起５６及び複数のスリップ防止突起５６の間の接合部５７が設けられることによって、上記固定本体２０と再使用防止カバー５０の下部本体５２とを堅固に固定することができる。これにより、再使用防止カバー５０の上部本体５１を下部本体５２に対して一方向に回転させるとき、下部本体５２を使用者が堅固に摘んで支持することができるので、滑りが防止されるのはもちろんのこと、再使用防止カバー５０の上部本体５１を下部本体５２から分離するとともに、上部本体５１に取り囲まれるように挿入された開閉本体３０を、下部本体５２に取り囲まれるように挿入された固定本体２０から容易に分離することができる。
【００５５】
また、図１に示すように、本実施形態実施形態に係る上記下部本体５２には、上記連結切断部５３によって連結された再使用防止カバー５０の上部本体５１と下部本体５２とが、それぞれ上記開閉本体３０及び固定本体２０に嵌め合わされるときに広がり、下部本体５２が固定本体２０に位置するように嵌め合わされると再び窄むことにより、上記開閉本体３０及び固定本体２０の外側に、上記連結切断部５３によって連結された上部本体５１及び下部本体５２を容易に嵌め合わせることができるように、放射状に形成された複数の切開部５８がさらに設けられてもよい。
【００５６】
上記複数の切開部５８が設けられる理由は、上記固定本体２０と開閉本体３０とを結合した後、上記連結切断部５３によって一体になる上部本体５１と下部本体５２を有する再使用防止カバー５０を、上記固定本体２０及び開閉本体３０に容易に嵌め合わせるためである。言い換えれば、上記再使用防止カバー５０が固定本体２０及び開閉本体３０に嵌め合わされるとき、上記切開部５８が広がり、上記再使用防止カバー５０が固定本体２０及び開閉本体３０に完全に嵌め合わされ、再使用防止カバー５０の上部本体５１が開閉本体３０の外側に位置するとともに、再使用防止カバー５０の下部本体５２が固定本体２０の外側に完全に位置するように嵌め合わされると、広がった切開部５８が再び元の位置に復帰する。
【００５７】
以上のように、本発明では具体的な構成要素などの特定事項と限定された実施例及び図面に基づいて説明されたが、これは本発明のより全般的な理解を助けるために提供されたものであるだけ、本発明は上記実施例に限定されるものではなく、本発明が属する分野で通常的な知識を有する者であればこのような記載から多様な修正及び変形が可能である。
【００５８】
したがって、本発明の思想は説明された実施例に限定して決定されてはいけなく、後述する特許請求範囲だけではなく、この特許請求範囲と均等又は等価の変形がある全てのものは本発明思想の範疇に属するものと言える。
【符号の説明】
【００５９】
１０    注射器本体
１１    吐出口
２０    固定本体
２１    融着部
２２    螺旋形突部
２３    第１押圧傾斜面
３０    開閉本体
３１    螺旋形溝部
３２    第２押圧傾斜面
４０    ゴムパッキング
５０    再使用防止カバー
５１    上部本体
５２    下部本体
５３    連結切断部
５４    凹部
５５    傾斜部
５６    スリップ防止突起
５７    接合部
５８    切開部
【図１】
2018175842.tif 000003
【図２】
2018175842.tif 000004
【図３】
2018175842.tif 000005
【図４】
2018175842.tif 000006
【図５】
2018175842.tif 000007
【図６】
2018175842.tif 000008
【図７】
2018175842.tif 000009
【図８】
2018175842.tif 000010
【図９】
2018175842.tif 000011
【図１０】
2018175842.tif 000012
【図１１】
2018175842.tif 000013